(57)【要約】      （修正有）【課題】和弓や弓道練習用ゴム弓の本体握部に、接着して固定する際に手の汚れが殆どなく、取付け・固定作業が早く行え、且つ、貼替も簡単な弓用グリップを提供する。【解決手段】グリップ本体１の表面に設けた粘着剤２と、該粘着剤２を覆う剥離紙３とから構成する。またグリップ本体１の形状を矩形状や扁平な平行四辺形に形成するのが好ましく、且つ、粘着剤２と剥離紙３として、両面粘着テープや両面粘着シートを用いる。【選択図】図１
0003234221.tif 000002
【実用新案登録請求の範囲】
【請求項１】
弓の本体握部（４）の表面に取付けて使用する革製のグリップであって、このグリップ本体（１）の表面に設けた粘着剤（２）と、該粘着剤（２）を覆う剥離紙（３）と、から少なくとも構成したことを特徴とする弓用グリップ。
【請求項２】
前記グリップ本体（１）の形状が、矩形状である請求項１記載の弓用グリップ。
【請求項３】
前記グリップ本体（１）の形状が、扁平な平行四辺形である請求項１記載の弓用グリップ。
【請求項４】
前記粘着剤（２）と前記剥離紙（３）が、両面粘着テープや両面粘着シートである請求項１記載の弓用グリップ。
【考案の詳細な説明】
【技術分野】
【０００１】
本考案は弓用グリップ、特に和弓や初心者が和弓を射るための弓道練習用ゴム弓に取付けて使用する弓用グリップに関する。
【背景技術】
【０００２】
一般に革製のグリップ（握革とも言う）は、和弓や弓道練習用ゴム弓の本体握部の表面に巻き付けて一体に取付けられる。この革製のグリップの素材としては、鹿革，カーフ革，人工革などの薄手で柔軟性のあるナメシ革を用いている。又、この素材を、幅２０〜４０mm、長さ２５０〜４００mmにカットし、更に、その両端を斜めにカットして、扁平な平行四辺形に形成している［図２（ｂ）参照］。この革材は木工ボンドを用いて、本体握部の表面に巻き付けて固定している。
【０００３】
しかしながら、図２（ａ）に示すような矩形状に形成した革材を、弓の本体握部の表面に、約１周程度巻き付けて固定しようとすると、木工ボンドでは、接着力が弱く、グリップの役目を果たすことができないのが現状である。
【０００４】
この時、接着力の強い樹脂系の接着剤を使用すると、手に接着剤が付いて、ベタ付き易く、グリップの表面に付着した接着剤は、後からきれいに拭き取ることが難しく、且つ、時間が掛かるものであった。このため、グリップの接着剤としては、木工ボンドが多く使用されている。更に、この木工ボンドは接着した後、グリップの表面を水で拭き取れば、きれいになるため、木工ボンドがグリップの接着剤として使用される理由である。
【０００５】
尚、本考案の構造や目的が異なる和弓用握革（グリップ）として、実用新案登録番号第３１８３２９３号が提案されている。この構造は、握革に多数の小孔を有したものである。その目的は、手との接触面積を相対的に縮小させ、握革の湿り気を減少させ、且つ、乾燥を早めてベタ付きのないコンディションを維持させることにより、程よく乾いた摩擦と、手に違和感のない感触で弓返りに支障のない滑らかなコンディションを持続させるものを得ることである。
【先行技術文献】
【特許文献】
【０００６】
【特許文献１】実用新案登録番号第３１８３２９３号公報
【考案の概要】
【考案が解決しようとする課題】
【０００７】
本考案は和弓や弓道練習用ゴム弓の本体握部に、接着する際に手の汚れが殆どなく、取付け・固定作業が早く行え、且つ、貼替も簡単な弓用グリップを提供することを目的とする。
【課題を解決するための手段】
【０００８】
本考案は上記現状に鑑みて成されたものであり、つまり、グリップ本体の表面に設けた粘着剤と、該粘着剤を覆う剥離紙とから構成する。また前記グリップ本体の形状を矩形状や扁平な平行四辺形に形成するのが好ましく、且つ、前記粘着剤と剥離紙としては、両面粘着テープや両面粘着シートを用いると良い。
【考案の効果】
【０００９】
請求項１のようにグリップ本体（１）の表面に設けた粘着剤（２）と、該粘着剤（２）を覆う剥離紙（３）とから構成することにより、接着する際には、和弓や弓道練習用ゴム弓の本体握部（４）に手の汚れが殆ど付かず、取付け・固定作業が効率良く行え、且つ、貼替時には従来の如き前の接着剤の固化した残りが殆どないため、貼替作業が簡単で短時間に行える。
【００１０】
請求項２のようにグリップ本体（１）の形状を矩形状にすることにより、弓の本体握部（４）に、何周も巻き付けることなく、略一周でよくなるため、グリップ本体（１）の取付け・固定作業が簡単で且つ短時間にできる。
【００１１】
請求項３に示すようにグリップ本体（１）の形状を扁平な平行四辺形にすることにより、弓の本体握部（４）に巻き付ける際、従来通りの作業が行え、且つ、作業中に接着剤の塗布作業が不要となるため、手が汚れず、グリップ本体（１）の表面の汚れも殆どなくなり、グリップ本体（１）の取付け・固定作業が木工ボンドを使用した従来の作業よりも簡単で且つ短時間にできる。
【００１２】
請求項４に示すように粘着剤（２）と剥離紙（３）を両面粘着テープにすることにより、弓の本体握部（４）にグリップを接着する作業が簡単となる。又、粘着剤（２）と剥離紙（３）を両面粘着シートにすることにより、本実施例の矩形状なグリップ本体（１）の形状に対応し易いものとなる。
【図面の簡単な説明】
【００１３】
【図１】本考案の実施形態の断面を示す説明図である。
【図２】本実施形態のグリップ本体の形状を示す説明図である。
【図３】本実施形態の矩形状のグリップ本体が取付けられた状態を示す説明図である。
【図４】本実施形態の扁平な平行四辺形のグリップ本体が取付けられた状態を示す説明図である。
【考案を実施するための形態】
【００１４】
本考案の実施形態を図面に基づいて説明する。（１）は弓の本体握部（４）の表面に取付けて（巻き付けて）使用する革製のグリップ本体であり、該グリップ本体（１）の形状は、図２（ａ）に示す矩形状が好ましいが、図２（ｂ）に示す扁平な平行四辺形としても良い。尚、図２（ｂ）に示すグリップ本体（１）は、帯状のものを用意し、その両端（1a）を斜めにカットして形成したものを用いる。前記革製のものとしては、鹿革，カーフ革，人口革などの薄手で柔軟性のあるナメシ革を用いる。
【００１５】
（２）はグリップ本体（１）の表面全体に塗布して設ける粘着剤であり、該粘着剤（２）の粘着力としては、グリップ本体（１）を握った状態で回転させた際に、貼り合せ部分がずれる恐れがない程度の強さを有したものを使用する。尚、強力な粘着剤（２）を使用した時は、貼り合せ部分がずれないように、グリップ本体（１）の所定表面だけに塗布しても良い。
【００１６】
（３）は粘着剤（２）を覆う剥離紙であり、両面粘着テープや両面粘着シートなどに使用されているものと同じ材料を用いる。尚、前記粘着剤（２）と前記剥離紙（３）は、両面粘着テープや両面粘着シートを、グリップ本体（１）の表面に貼り付けたものとしても良い。
【００１７】
次に本考案の使用方法について説明する。先ず始めに図２（ａ）に示すグリップ本体（１）を用いる場合は、先ず剥離紙（３）を剥がし、貼り合せ部分の位置を確認すると共に粘着剤（２）を弓の本体握部（４）の表面に巻き付けて、グリップ本体（１）を貼り付けて固定する。この時、従来の如き木工ボンドが使用されていないので、手やグリップ本体（１）の表面が汚れることがなくなる。しかも、グリップ本体（１）を巻き付けて固定させる作業が、簡単で且つ短時間できれいに仕上がる。
【００１８】
次に図２（ｂ）に示すグリップ本体（１）を用いる場合は、先ず剥離紙（３）を剥がしながら、従来と同様に弓の本体握部（４）の表面に巻き付けながら貼り付け、グリップ本体（１）を弓の本体握部（４）の表面に固定させる。この時、従来の如き木工ボンドが使用されていないので、上記同様に手やグリップ本体（１）の表面が汚れることがなく、グリップ本体（１）の巻き付けて取付ける作業が簡単で且つ短時間できれいに仕上がる。
【符号の説明】
【００１９】
１  グリップ本体
２  粘着剤
３  剥離紙
４  弓の本体握部
【図１】
0003234221.tif 000003
【図２】
0003234221.tif 000004
【図３】
0003234221.tif 000005
【図４】
0003234221.tif 000006